(57)【特許請求の範囲】
【請求項１】
外気処理室外ユニット（１１）と共に第１冷凍サイクル（１０）を構成し、室外の空気を含む被処理空気を調和させて対象空間（ＳＩ）に対して供給する外気処理室内ユニット（１２）と、
空調室外ユニット（２１）と共に第２冷凍サイクル（２０）を構成し、前記外気処理室内ユニット（１２）と共通の前記対象空間（ＳＩ）における温度調整を行う複数の空調室内ユニット（２２〜２６）と、
前記外気処理室内ユニット（１２）の出力を調節する制御部（７０、１０ｃ）と、
を備え、
複数の前記空調室内ユニット（２２〜２６）は、個別の設定温度が定められることにより、前記設定温度を満足させるようにそれぞれが個別に運転することが可能であり、それぞれ対応して設けられた温度取得部（２２ｄ〜２５ｄ）を有しており、それぞれ前記温度取得部が取得する温度に基づいて自己の前記設定温度が満たされているか否か判断し、前記設定温度を満たしていると判断した場合に行われる第１運転状態と前記設定温度を満たしていないと判断した場合に行われる第２運転状態との切り換えをそれぞれ実行し、
前記制御部（７０）は、複数の前記空調室内ユニット（２２〜２６）のうちの前記第１運転状態の前記空調室内ユニットの割合が所定割合以上である場合もしくは複数の前記空調室内ユニット（２２〜２６）のうちの前記第２運転状態の前記空調室内ユニットの割合が所定割合以下である場合に前記外気処理室内ユニット（１２）の出力を抑える制御を行う、
空気調和システム（１００）。
【請求項２】
前記外気処理室内ユニットの台数は、前記空調室内ユニットの台数よりも少ない、
請求項１に記載の空調システム。
【請求項３】
前記制御部は、前記外気処理室内ユニットの出力を抑える制御を行う場合には、前記外気処理室内ユニットの吹出目標温度を変更させる、
請求項１または２に記載の空調システム。
【請求項４】
前記制御部は、前記外気処理室外ユニットと前記外気処理室内ユニットとから構成される外気処理ユニット（１）の出力レベルの情報を用いることなく、前記外気処理ユニット（１）が過剰運転しているか否かを判断する、
請求項１から３のいずれか１項に記載の空調システム。
【請求項５】
外気処理室外ユニット（１１）と共に第１冷凍サイクル（１０）を構成し、室外の空気を含む被処理空気を調和させて対象空間（ＳＩ）に対して供給する外気処理室内ユニット（１２）と、
空調室外ユニット（２１）と共に第２冷凍サイクル（２０）を構成し、前記外気処理室内ユニット（１２）と共通の前記対象空間（ＳＩ）における温度調整を行う複数の空調室内ユニット（２２〜２６）と、
前記外気処理室内ユニット（１２）の出力を調節する制御部（７０、１０ｃ）と、
を備え、
複数の前記空調室内ユニット（２２〜２６）は、個別の目標条件が定められることにより、前記目標条件を満足させるようにそれぞれが個別に運転することが可能であり、
前記制御部（７０）は、複数の前記空調室内ユニット（２２〜２６）それぞれの前記目標条件の満足度合いから把握される到達度に基づいて前記外気処理室内ユニット（１２）が過剰運転していると判断した場合に、前記外気処理室内ユニット（１２）の出力を抑える制御を行い、
前記制御部は、複数の前記空調室内ユニットそれぞれの前記目標条件の満足度合いから把握される到達度に基づいて前記外気処理室内ユニットの出力が抑えられ過ぎていると判断した場合に、前記外気処理室内ユニットの出力を上げる制御を行う、
空気調和システム（１００）。
【発明の詳細な説明】
【技術分野】
【０００１】
本発明は、空調システムに関する。
【背景技術】
【０００２】
従来より、屋外の空気を調和して対象となる室内に供給する外気処理装置と、同じ室内の空気を取り込んで調和して再度室内に供給する空調装置と、の両方を備えた空調システムが知られている。
【０００３】
この空調システムによると、外気処理装置によって屋外の空気が取り込まれるため、対象となる室内区間には新鮮な空気が供給され、換気量を確保することが可能になっている。さらに、空調装置が調和させる室内の空気は、すでに外気処理装置がある程度調和しているため、空調装置に掛かる空調負荷を低減させることが可能になっている。
【０００４】
このような空調システムとしては、例えば、特開２０１０−１２１９１２号公報（特許文献１）に記載の空調システムのように、外気処理装置側で負担する空調負荷と、空気調和装置側で負担する空調負荷と、の割合を調節することにより、消費エネルギを低減させることが提案されている。
【発明の概要】
【発明が解決しようとする課題】
【０００５】
上記の空調システムによると、外気処理装置の消費電力と空調装置の消費電力との和を最小にすることを目指した制御に着目している。
【０００６】
ところが、上記特許文献１に記載の空調システムでは、外気処理装置の空調負荷が過剰になっているか否かについては、特に、検討されていない。
【０００７】
また、外気処理装置の消費電力と空調装置の消費電力との和を最小にすることができれば、外気処理装置の空調負荷が過剰になることを防止できる場合もあるが、そのための必要な情報や処理を低減することができていない。
【０００８】
本発明は、上述した点に鑑みてなされたものであり、本発明の課題は、外気処理ユニットによって外気を調和して室内に供給しつつ、空調ユニットによって室内の空気をさらに調和する空調システムにおいて、外気を調和する際の空調負荷が過剰になることを抑制させることが可能な空調システムを提供することにある。
【課題を解決するための手段】
【０００９】
本発明の第１観点に係る空調システムは、外気処理室内ユニット、複数の空調室内ユニット、および、制御部を備えている。外気処理室内ユニットは、外気処理室外ユニットと共に第１冷凍サイクルを構成している。この外気処理室内ユニットは、室外の空気を含む被処理空気を調和させて対象空間に対して供給する。複数の空調室内ユニットは、空調室外ユニットと共に第２冷凍サイクルを構成している。複数の空調室内ユニットは、外気処理室内ユニットと共通の対象空間における温度調整を行う。制御部は、外気処理室内ユニットの出力を調節する。複数の空調室内ユニットは、個別の設定温度が定められることにより、設定温度を満足させるようにそれぞれが個別に運転することが可能である。制御部は、それぞれ対応して設けられた温度取得部を有しており、それぞれ温度取得部が取得する温度に基づいて自己の設定温度が満たされているか否か判断し、設定温度を満たしていると判断した場合に行われる第１運転状態と設定温度を満たしていないと判断した場合に行われる第２運転状態との切り換えをそれぞれ実行する。制御部は、複数の空調室内ユニットのうちの第１運転状態の空調室内ユニットの割合が所定割合以上である場合もしくは複数の空調室内ユニットのうちの第２運転状態の空調室内ユニットの割合が所定割合以下である場合に外気処理室内ユニットの出力を抑える制御を行う。
【００１０】
ここでの「複数の空調室内ユニットそれぞれの目標条件」としては、特に限定されるものではなく、例えば、空調室内ユニット毎の設定温度の達成度もしくは設定温度に補正を加えた値の達成度や、空調室内ユニット毎の吸い込み温度と吹き出し温度との差等が含まれる。そして、「達成度」についても、特に限定されるものではなく、例えば、空調室内ユニットの全台数のうち目標条件を満たしている台数の割合等が含まれる。
【００１１】
なお、ここでの「第１運転状態」は、各空調室内ユニット間で共通の運転制御状態であってもよいし、各空調室内ユニット間で異なる運転制御状態であってもよい。同様に、ここでの「第２運転状態」は、各空調室内ユニット間で共通の運転制御状態であってもよいし、各空調室内ユニット間で異なる運転制御状態であってもよい。すなわち、ここでは、各空調室内ユニットにおいて、第１運転状態と第２運転状態との運転状態が異なっていればよく、第１運転状態や第２運転状態が各空調室内ユニットの間で共通している必要はない。
【００１２】
この空調システムでは、複数の空調室内ユニット毎の個別の目標条件の満足度合いから到達度を把握し、この到達度に基づいて、外気処理室内ユニットの出力を抑える制御を行うか否か判断している。そして、過剰であると判断された場合に、外気処理室内ユニットの過剰運転を抑制させている。
【００１３】
このため、外気を調和する際の空調負荷が過剰になることを抑制させることができる。
【００１４】
また、この空調システムでは、制御部は、各空調室内ユニットの運転状態を把握して、第１運転状態もしくは第２運転状態の空調室内ユニットの割合を定めるだけで、このように定まった割合に基づいて外気処理室内ユニットの出力を抑える制御を行うか否か判断する。このため、外気処理室内ユニットの過剰運転を抑制するための制御ロジックを、より簡単なものにすることが可能になる。
【００１５】
本発明の第２観点に係る空調システムは、第１観点に係る空調システムにおいて、外気処理室内ユニットの台数は、空調室内ユニットの台数よりも少ない。
【００１６】
対象空間に設けられた外気処理室内ユニットの台数が、同じ対象空間に設けられている空調室内ユニットの台数よりも少ない空調システムにおいては、外気処理室内ユニットが過剰運転状態となっていると、特に、対象空間内の温度ムラが生じやすい。
【００１７】
これに対して、この空調システムでは、台数の少ない外気処理室内ユニットが主として利用されていることによって生じる温度ムラの発生を、より多く設けられている空調室内ユニットの出力を挙げることにより抑制することが可能になる。
【００１８】
本発明の第３観点に係る空調システムは、第１観点または第２観点のいずれかに係る空調システムにおいて、制御部は、外気処理室内ユニットの出力を抑える制御を行う場合には、外気処理室内ユニットの吹出目標温度を変更させる。
【００１９】
この空調システムでは、外気処理室内ユニットの吹出目標温度を変更するという簡単な制御処理によって、外気処理室内ユニットが過剰運転している状態を抑制することができる。
【００２０】
本発明の第４観点に係る空調システムは、第１観点から第３観点のいずれかに係る空調システムにおいて、制御部は、外気処理室外ユニットと外気処理室内ユニットとから構成される外気処理ユニットの出力レベルの情報を用いることなく、外気処理ユニットが過剰運転しているか否かを判断する。
【００２１】
この空調システムでは、外気処理ユニットが過剰運転しているか否かの判断を、外気処理ユニットの出力レベルの情報を用いることなく、複数の空調室内ユニットそれぞれの目標条件の満足度合いから把握される到達度に基づいて判断している。このため、空調室内ユニットと空調室外ユニットとから構成されるシステムは、外気処理ユニットとは独立した制御によって外気処理ユニットの過剰運転状態を抑制させることができる。
【００２２】
本発明の第５観点に係る空調システムは、外気処理室内ユニット、複数の空調室内ユニット、および、制御部を備えている。外気処理室内ユニットは、外気処理室外ユニットと共に第１冷凍サイクルを構成している。この外気処理室内ユニットは、室外の空気を含む被処理空気を調和させて対象空間に対して供給する。複数の空調室内ユニットは、空調室外ユニットと共に第２冷凍サイクルを構成している。複数の空調室内ユニットは、外気処理室内ユニットと共通の対象空間における温度調整を行う。制御部は、外気処理室内ユニットの出力を調節する。複数の空調室内ユニットは、個別の目標条件が定められることにより、目標条件を満足させるようにそれぞれが個別に運転することが可能である。制御部は、複数の空調室内ユニットそれぞれの目標条件の満足度合いから把握される到達度に基づいて外気処理室内ユニットが過剰運転していると判断した場合に、外気処理室内ユニットの出力を抑える制御を行う。制御部は、複数の空調室内ユニットそれぞれの目標条件の満足度合いから把握される到達度に基づいて外気処理室内ユニットの出力が抑えられ過ぎていると判断した場合に、外気処理室内ユニットの出力を上げる制御を行う。
【００２３】
ここでの「複数の空調室内ユニットそれぞれの目標条件」としては、特に限定されるものではなく、例えば、空調室内ユニット毎の設定温度の達成度もしくは設定温度に補正を加えた値の達成度や、空調室内ユニット毎の吸い込み温度と吹き出し温度との差等が含まれる。そして、「達成度」についても、特に限定されるものではなく、例えば、空調室内ユニットの全台数のうち目標条件を満たしている台数の割合等が含まれる。
【００２４】
この空調システムでは、複数の空調室内ユニット毎の個別の目標条件の満足度合いから到達度を把握し、この到達度に基づいて、外気処理室内ユニットが過剰運転しているか否か判断している。そして、過剰であると判断された場合に、外気処理室内ユニットの過剰運転を抑制させている。
【００２５】
このため、外気を調和する際の空調負荷が過剰になることを抑制させることができる。
【００２６】
また、この空調システムでは、外気処理室内ユニットの出力が抑えられ過ぎている状態を回避することが可能になる。
【発明の効果】
【００２７】
本発明の第１観点に係る空調システムでは、外気を調和する際の空調負荷が過剰になることを抑制させることができる。また、外気処理室内ユニットの過剰運転を抑制するための制御ロジックを、より簡単なものにすることが可能になる。
【００２８】
本発明の第２観点に係る空調システムでは、対象空間における温度ムラの発生を、空調室内ユニットの出力を挙げることにより抑制することが可能になる。
【００２９】
本発明の第３観点に係る空調システムでは、簡単な制御処理によって、外気処理室内ユニットが過剰運転している状態を抑制することができる。
【００３０】
本発明の第４観点に係る空調システムでは、外気処理ユニットとは独立した制御によって外気処理ユニットの過剰運転状態を抑制させることができる。
【００３１】
本発明の第５観点に係る空調システムでは、外気を調和する際の空調負荷が過剰になることを抑制させることができ、外気処理室内ユニットの出力が抑えられ過ぎている状態を回避することが可能になる。
【図面の簡単な説明】
【００３２】
【図１】本発明の一実施形態に係る空調システムの概略構成図である。
【図２】本発明の一実施形態に係る空調システムの冷媒回路図である。
【図３】本発明の一実施形態に係る空調システムのブロック構成図である。
【図４】本発明の一実施形態に係る外気処理負荷を低減する制御のフローチャートである。
【発明を実施するための形態】
【００３３】
以下、本発明の空調システムの一実施形態について、図面に基づいて説明する。
【００３４】
＜１＞全体構成
図１に、本発明の一実施形態に係る空調システム１００の概略構成図を示す。図２に、空調システム１００の冷媒回路図を示す。図３に、空調システム１００のブロック構成図を示す。
【００３５】
空調システム１００は、外気処理ユニット１と、空調ユニット２、３を備えている。
【００３６】
＜２＞外気処理ユニット１の概略構成
外気処理ユニット１は、屋外ＳＩの新鮮な空気を温度調整させて、対象空間ＳＩに供給するための装置であり、外気処理冷媒回路１０を有している。
【００３７】
外気処理冷媒回路１０は、圧縮機構１１ａ、凝縮器１１ｂ、膨張機構１２ｂ、蒸発器１２ａがこの順に接続され、冷媒が循環する回路である。圧縮機構１１ａが駆動することにより、外気処理冷媒回路１０に冷媒が循環し、冷凍サイクルが行われる。
【００３８】
外気処理室外ユニット１１は、圧縮機構１１ａ、凝縮器１１ｂ、この凝縮器１１ｂに対して空気を送るためのファン（図示せず）等を内部に収容しており、屋外ＳＩに設置されている。
【００３９】
外気処理室内ユニット１２は、膨張機構１２ｂ、蒸発器１２ａ、この蒸発器１２ａに対して空気を送るためのファン１２ｆ等を内部に収容しており、対象空間ＳＩ内もしくはその近傍に配置されている。
【００４０】
外気処理室内ユニット１２には、ファン１２ｆによって生じる空気流れの上流側から屋外ＳＯまで伸びた導入ダクト５が接続されている。また、外気処理室内ユニット１２には、ファン１２ｆによって生じる空気流れの下流側から対象空間ＳＩまで伸びた供給ダクト６が接続されている。
【００４１】
以上の構成によって、外気処理ユニット１が駆動することで外気処理冷媒回路１０において冷凍サイクルが行われている状態で、ファン１２ｆが駆動することにより、新鮮な屋外空気ＯＡが温度調節されて対象空間ＳＩへと供給される。屋外空気ＯＡは、導入ダクト５を通じて外気処理室内ユニット１２内に取り込まれ、蒸発器１２ａを通じて冷却されることで供給空気ＳＡとなる。この供給空気ＳＡは、供給ダクト６を通じて、対象空間ＳＩの天井に設けられた供給口６ａから対象空間ＳＩ内へと供給される。
【００４２】
なお、外気処理ユニット１には、対象空間ＳＩと屋外ＳＯとを接続しており、導入ダクト５や供給ダクト６とは空間的に区切られた排出ダクト７が設けられている。対象空間ＳＩの還気ＲＡは、対象空間ＳＩの天井に設けられた排出口７ａから、排出ダクト７内を通じて、屋外ＳＯに対して排気ＥＡとして排出される。
【００４３】
＜３＞空調ユニット２、３の概略構成
空調ユニット２は、対象空間ＳＩの空気を被処理空気として温度調節を行う装置であり、空調冷媒回路２０を有している。空調ユニット３は、空調ユニット２と同様に対象空間ＳＩの空気を被処理空気として温度調節を行う装置であり、空調冷媒回路２０とは独立した冷媒回路である空調冷媒回路３０を有している。
【００４４】
空調冷媒回路２０は、圧縮機構２１ａと、凝縮器２１ｂと、複数の膨張機構２２ｂ、２３ｂ、２４ｂ、２５ｂ、２６ｂと、複数の膨張機構２２ｂ、２３ｂ、２４ｂ、２５ｂ、２６ｂに対して一対一に対応するように直列に接続された複数の蒸発器２２ａ、２３ａ、２４ａ、２５ａ、２６ａが、この順に接続され、冷媒が循環する回路である。複数の膨張機構２２ｂ、２３ｂ、２４ｂ、２５ｂ、２６ｂおよび複数の蒸発器２２ａ、２３ａ、２４ａ、２５ａ、２６ａは、圧縮機構２１ａに対して並列接続されている。圧縮機構２１ａが駆動することにより、空調冷媒回路２０に冷媒が循環し、冷凍サイクルが行われる。空調室外ユニット２１は、圧縮機構２１ａ、凝縮器２１ｂ、この凝縮器２１ｂに対して空気を送るためのファン（図示せず）等を内部に収容しており、屋外ＳＩに設置されている。空調室内ユニット２２は、膨張機構２２ｂ、蒸発器２２ａ、この蒸発器２２ａに対して空気を送るためのファン（図示せず）を内部に収容しており、対象空間ＳＩの天井もしくはその近傍に配置されている（空調室内ユニット２３〜２６についても、空調室内ユニット２２と同様である）。
【００４５】
空調冷媒回路３０は、空調冷媒回路２０と同様であり、圧縮機構３１ａと、凝縮器３１ｂと、複数の膨張機構３２ｂ、３３ｂ、３４ｂ、３５ｂ、３６ｂと、複数の膨張機構３２ｂ、３３ｂ、３４ｂ、３５ｂ、３６ｂに対して一対一に対応するように直列に接続された複数の蒸発器３２ａ、３３ａ、３４ａ、３５ａ、３６ａがこの順に接続され、冷媒が循環する回路である。複数の膨張機構３２ｂ、３３ｂ、３４ｂ、３５ｂ、３６ｂおよび複数の蒸発器３２ａ、３３ａ、３４ａ、３５ａ、３６ａは、圧縮機構３１ａに対して並列接続されている。圧縮機構３１ａが駆動することにより、空調冷媒回路３０に冷媒が循環し、冷凍サイクルが行われる。空調室外ユニット３１は、圧縮機構３１ａ、凝縮器３１ｂ、この凝縮器３１ｂに対して空気を送るためのファン（図示せず）等を内部に収容しており、屋外ＳＩに設置されている。空調室内ユニット３２は、膨張機構３２ｂ、蒸発器３２ａ、この蒸発器３２ａに対して空気を送るためのファン（図示せず）を内部に収容しており、対象空間ＳＩの天井もしくはその近傍に配置されている（空調室内ユニット３３〜３６についても、空調室内ユニット３２と同様である）。
【００４６】
なお、図示は省略するが、空調室内ユニット２２〜３６は、いずれも、下面視における中央近傍に１つの吸込口が設けられており、その吸込口の周囲に複数（本実施形態では４つ）の吹出口が設けられている。ここで、本実施形態では、対象空間ＳＩに設置されている空調室内ユニット２２〜２６、３２〜３６の合計台数は、同対象空間ＳＩに設置されている外気処理ユニット１の台数よりも多い。そして、これらの複数の空調室内ユニット２２〜２６、３２〜３６は、対象空間ＳＩ内において集中的に配置されることなく、分散して配置されている。
【００４７】
以上の構成によって、空調ユニット２、３が駆動することで空調冷媒回路２０、３０において冷凍サイクルが行われている状態で、空調室内ユニット２２〜３６のファンが駆動することにより、対象空間ＳＩの空気が吸込口を介して空調室内ユニット２２〜３６に取り込まれ、蒸発器２２ａ〜３６ａを通じて冷却された空気が対象空間ＳＩに戻される。
【００４８】
＜４＞空調システム１００のネットワーク構成および制御
上述した外気処理ユニット１には、図３に示すように、外気処理制御部１０ｃが設けられている。外気処理制御部１０ｃには、外気処理室外ユニット１１内に設けられた室外制御部１１ｃ、外気処理室内ユニット１２内に設けられた室内制御部１２ｃ、および、図示しないメモリ等が設けられている。外気処理ユニット１には、屋外ＳＯの気温を把握する屋外気温センサ１７と、外気処理ユニット１の蒸発器１２ａを通過した空気の温度を把握する吹出温度センサ１８が設けられている。外気処理制御部１０ｃは、屋外気温センサ１７や吹出温度センサ１８で把握された温度に基づいて、吹出温度センサ１８で検知される温度が一定になることを目標とする「吹出温度一定制御」を行う。なお、外気処理ユニット１には、「吹出温度一定制御」において目標とされる設定温度を、ユーザから受け付けることが可能なコントローラ１０ｄが設けられている。
【００４９】
ここで「吹出温度一定制御」は、屋外気温センサ１７や吹出温度センサ１８で把握された温度に基づいて、外気処理制御部１０ｃが、圧縮機構１１ａの周波数を調節したり、膨張機構１２ｂの開度調節（減圧程度調節）をしたり、外気処理室外ユニット１１内のファンの風量制御を行う等の公知の方法によって制御する。なお、外気処理ユニット１は、対象空間ＳＩの必要換気量を確保する必要性から、外気処理室内ユニット１２のファン１２ｆの風量については、常時、一定の条件を満たすように制御されている（ここでは、風量が一定の制御幅の範囲内に収まるように制御されている）。
【００５０】
上述した空調ユニット２、３には、図３に示すように、それぞれに対応するように、空調制御部２０ｃ、３０ｃが設けられている。
【００５１】
空調制御部２０ｃには、空調室外ユニット２１内に設けられた室外制御部２１ｃ、空調室内ユニット２２、２３、２４、２５、２６内にそれぞれ設けられた室内制御部２２ｃ、２３ｃ、２４ｃ、２５ｃ、２６ｃ、および、図示しないメモリ等が設けられている。空調ユニット２には、空調室内ユニット２２、２３、２４、２５、２６の各吸込口から吸い込まれ、蒸発器２２ａ、２３ａ、２４ａ、２５ａ、２６ａを通過する前の空気の温度を把握する吸込温度センサ２２ｄ、２３ｄ、２４ｄ、２５ｄ、２６ｄがそれぞれ設けられている。空調制御部２０ｃは、吸込温度センサ２２ｄ〜２６ｄで把握された温度に基づいて、吸込温度センサ２２ｄ〜２６ｄで検知される温度が各空調室内ユニット２２〜２６毎に設定されている設定温度に近づくように「個別空調制御」を行う。この空調制御部２０ｃには、コントローラ２０ｄが接続されている。このコントローラ２０ｄは、各空調室内ユニット２２〜２６毎に設定されている設定温度を、ユーザから受け付ける。
【００５２】
ここで「個別空調制御」では、各吸込温度センサ２２ｄ〜２６ｄで把握された温度に基づいて、吸込温度センサ２２ｄ〜２６ｄで検知される温度が各空調室内ユニット２２〜２６毎に設定されている設定温度に近づくように、各空調冷媒回路２０において、空調制御部２０ｃが、各膨張機構２２ｂ〜２６ｂの開度調節（減圧程度調節）を個別に行ったり、空調室内ユニット２２〜２６の各ファンの風量を個別に調節したり、圧縮機構２１ａの周波数を調節したりする等の公知の方法によって制御する。なお、本実施形態では、設定温度を満足した空調室内ユニット２２〜２６については、その膨張機構２２ｂ〜２６ｂの開度を閉じることで、蒸発器２２ａ〜２６ａに冷媒の供給を途絶えさせる（第１運転状態、以下、「サーモオフ」ということがある）。吸込温度センサ２２ｄ〜２６ｄが把握する温度の設定温度からの乖離程度が所定値以上になると（本実施形態では設定温度よりも１℃以上高温になると）、再び、対応する膨張機構２２ｂ〜２６ｂの開度を上げていく制御（第２運転状態、以下、「サーモオン」ということがある）が、室内制御部２０ｃによって行われる。この際の吸込温度センサ２２ｄ〜２６ｄが把握した温度は、空調制御部２０ｃのメモリに履歴情報として格納されていく。この際に、圧縮機構２１ａは、「サーモオフ」の状態の空調室内ユニット２２〜２６の台数が増えるほど出力を弱める（周波数を下げる）制御が空調制御部２０ｃによって行われ、接続されている空調室内ユニット２２〜２６の全てが「サーモオフ」の状態になると圧縮機構２１ａの駆動を停止させ、空調ユニット２の運転が停止される。
【００５３】
なお、空調制御部３０ｃについても、空調制御部２０ｃと同様であり、空調室外ユニット３１内に設けられた室外制御部３１ｃ、空調室内ユニット３２、３３、３４、３５、３６内にそれぞれ設けられた室内制御部３２ｃ、３３ｃ、３４ｃ、３５ｃ、３６ｃ、および、図示しないメモリ等が設けられている。空調ユニット３には、空調室内ユニット３２、３３、３４、３５、３６の各吸込口から吸い込まれ、蒸発器３２ａ、３３ａ、３４ａ、３５ａ、３６ａを通過する前の空気の温度を把握する吸込温度センサ３２ｄ、３３ｄ、３４ｄ、３５ｄ、３６ｄがそれぞれ設けられている。空調制御部３０ｃは、吸込温度センサ３２ｄ〜３６ｄで把握された温度に基づいて、吸込温度センサ３２ｄ〜３６ｄで検知される温度が各空調室内ユニット３２〜３６毎に設定されている設定温度に近づくように「個別空調制御」を行う。この空調制御部３０ｃは、コントローラ３０ｄが接続されている。このコントローラ３０ｄは、各空調室内ユニット３２〜３６毎に設定されている設定温度を、ユーザから受け付ける。
【００５４】
空調ユニット３の「個別空調制御」については、空調ユニット２の「個別空調制御」と同様であるため、説明を省略する。
【００５５】
なお、図３に示すように、空調システム１００は、上位の制御装置である集中コントローラ７０を有しており、上述した外気処理制御部１０ｃ、空調制御部２０ｃ、空調制御部３０ｃとの間で、通信線７５を介して通信可能となるように接続されている。この集中コントローラ７０は、空調制御部２０ｃ、空調制御部３０ｃから、空調ユニット２、３に関する状況等の情報を取得し、外気処理ユニット１が過剰運転しているか否かを判断する（以下、「過剰運転検知」ともいう。）とともに、必要な場合には外気処理ユニット１の設定温度を外気処理制御部１０ｃに調節させる（以下、「過剰運転回避制御」ともいう）等の処理を行う。
【００５６】
＜５＞外気処理ユニット１の過剰運転検知および過剰運転回避制御
図４に、外気処理ユニット１の「過剰運転検知」および「過剰運転回避制御」のフローチャートを示す。
【００５７】
なお、この「過剰運転検知」は、定期的に行われており、本実施形態では、空調システム１００が稼働している際に１０分毎に実施している。
【００５８】
ステップＳ１０では、集中コントローラ７０が、空調制御部２０ｃ、３０ｃに、各空調ユニット２、３の各空調室内ユニット２２〜２６、３２〜３６における運転状況を把握させる。具体的には、空調制御部２０ｃ、３０ｃのメモリに格納された履歴情報を把握させる。
【００５９】
ステップＳ２０では、集中コントローラ７０は、空調制御部２０ｃ、３０ｃのメモリに格納された履歴情報に基づいて、空調室内ユニット２２〜２６、３２〜３６に設けられた吸込温度センサ２２ｄ〜２６ｄ、３２ｄ〜３６ｄで検知される温度が、その空調室内ユニットの設定温度を２℃以上上回っている状態が第１所定時間（本実施形態では１０分）以上続いている台数を特定する（ここでの第１所定時間の経過を判断する際に基準となる温度は、本実施形態のサーモオンの条件温度よりも高い温度として設定されている。例えば、本実施形態では、第１所定時間の経過を判断する際に基準となる温度を設定温度＋２℃としつつ、サーモオンの条件温度を設定温度＋１℃としている）。そして、この台数が、第１所定台数以上（本実施形態では、５台以上（すなわち、空調室内ユニット２２〜２６、３２〜３６の全台数１０台のうちの５０％以上））存在しているという第１条件を満たすか否かを判断する。
【００６０】
ここで、第１条件を満たす場合はステップＳ３０に移行し、第１条件を満たさない場合にはステップＳ４０に移行する。
【００６１】
ステップＳ３０では、集中コントローラ７０は、外気処理制御部１０ｃに、外気処理ユニット１の「吹出温度一定制御」の設定温度を１℃下げさせることにより、外気処理ユニット１の出力を上げる処理を行う。その後、１０分経過するのを待って、再び、ステップＳ１０に戻る。
【００６２】
ステップＳ４０では、集中コントローラ７０は、空調制御部２０ｃ、３０ｃのメモリに格納された履歴情報に基づいて、「サーモオフ」の状態が第２所定時間（本実施形態では、第１所定時間と同じ１０分）以上続いている空調室内ユニットの台数を特定する。そして、この台数が、第２所定台数以上（本実施形態では、２台以上（すなわち、空調室内ユニット２２〜２６、３２〜３６の全台数１０台のうちの２０％以上））存在しているという第２条件（本実施形態では、第１条件とは異なる条件となっている）を満たすか否かを判断する。なお、圧縮機構２１ａ、３１ａが停止することで空調ユニット２、３が停止している状態についても、第２条件を満たしていると判断する。
【００６３】
ここで、第２条件を満たす場合はステップＳ５０に移行し、第２条件を満たさない場合にはステップＳ６０に移行する。
【００６４】
ステップＳ５０では、集中コントローラ７０は、外気処理ユニット１が過剰運転状態にあると判断して、外気処理制御部１０ｃに、外気処理ユニット１の「吹出温度一定制御」の設定温度を１℃上げさせることにより、外気処理ユニット１の出力を下げる処理を行う。その後、１０分経過するのを待って、再び、ステップＳ１０に戻る。
【００６５】
ステップＳ６０では、集中コントローラ７０は、外気処理ユニット１の「吹出温度一定制御」の設定温度を変更させることなく、１０分経過するのを待って、再び、ステップＳ１０に戻る。
【００６６】
＜６＞空調システム１００の特徴
（６−１）
上記実施形態の空調システム１００では、外気処理ユニット１が過剰運転状態にあるか否かを、外気処理ユニット１の自身の負荷レベルではなく、同一の対象空間ＳＩの空調を行っている空調ユニット２、３の負荷レベルに基づいて判断している。
【００６７】
すなわち、ステップＳ２０では、空調室内ユニット２２〜２６、３２〜３６の多くが稼働している状況（「サーモオン」の状況）において、第１所定時間を経過しても対象空間ＳＩの温度が高く、設定温度になかなか近づけることが出来ない状況にあるか否かを判断し、ステップＳ３０において、外気処理ユニット１の出力を上げることにより、対象空間ＳＩの空調負荷を処理している。
【００６８】
また、ステップＳ４０では、空調室内ユニット２２〜２６、３２〜３６のうち「サーモオフ」の状態となっている状況が第２所定時間以上の間継続している場合に、空調室内ユニット２２〜２６、３２〜３６を有効利用できておらず、外気処理ユニット１が過剰運転状態にあると判断し、ステップＳ５０において、外気処理ユニット１の出力を下げることにより、対象空間ＳＩの空調負荷を処理している。
【００６９】
以上により、本実施形態の空調システム１００では、外気処理ユニット１における過剰運転状態を、空調室内ユニット２２〜２６、３２〜３６の簡易な情報を用いることにより、抑制させることができている。
【００７０】
（６−２）
上記実施形態の空調システム１００では、外気処理ユニット１により調和されて対象空間ＳＩに導入される空気は、導入ダクト５を通じて、対象空間ＳＩの天井に設けられた供給口６ａから供給されている。また、空調ユニット２、３の空調室内ユニット２２〜２６、３２〜３６により調和されて対象空間ＳＩに戻される空気は、吸込口の周囲に設けられた複数（本実施形態では４つ）の吹出口から供給されている。
【００７１】
ここで、上記実施形態の空調システム１００では、対象空間ＳＩ内に設置されている空調室内ユニット２２〜２６、３２〜３６の合計台数は、同対象空間ＳＩ内に設置されている外気処理ユニット１の台数よりも、多く設けられており、複数の空調室内ユニット２２〜２６、３２〜３６は、対象空間ＳＩ内において分散して配置されている。
【００７２】
このため、台数の少ない外気処理ユニット１を主体として対象空間ＳＩの温度調節を行う場合よりも、台数の多い空調室内ユニット２２〜２６、３２〜３６を用いて対象空間ＳＩの温度調節を行う方が、対象空間ＳＩ内の温度分布のムラを低減させることができる。
【００７３】
そして、上記実施形態では、外気処理ユニット１が過剰運転になっていることを簡単な処理によって把握できるため、対象空間ＳＩ内に温度分布のムラが生じていることも集中コントローラ７０が容易に把握することができる。
【００７４】
特に、必要換気量を確保する必要性のために、外気処理ユニット１の設定温度が季節毎に設定されるユニットである場合等、空調ユニット２、３に比べて、ユーザの手動による設定温度の変更が頻繁に行わないシステムでは、対象空間ＳＩの空調負荷が少なくなった状況において、外気処理ユニット１の過剰運転状態が生じやすい。このような場合であっても、上記空調システム１００によると、簡単な処理によって、外気処理ユニット１の過剰運転を防止することができる。
【００７５】
＜７＞他の実施形態
（７−１）
上記実施形態では、外気処理ユニット１および空調ユニット２、３について、対象空間ＳＩを冷房する場合について例に挙げて説明した。
【００７６】
しかし、本発明はこれに限られず、例えば、外気処理ユニット１と空調ユニット２、３によって、対象空間ＳＩを暖房する場合に、上記実施形態に対応する考え方で空調負荷の処理を行わせることも可能である。
【００７７】
さらに、外気処理ユニット１および／または空調ユニット２、３の冷媒回路１０、２０、３０は、四路切換弁や必要な配管等を備えた冷暖切換可能な回路であってもよい。
【００７８】
（７−２）
上記実施形態では、空調室内ユニット２２〜２６、３２〜３６の全台数に対する第１条件や第２条件を満たした台数の割合をある基準値と比較して、比較結果に応じた処理を行う場合を例に挙げて説明した。
【００７９】
しかし、本発明はこれに限られず、例えば、予め定めた時間における、各空調室内ユニット２２〜２６、３２〜３６の個別の稼働時間の合計を、ある基準値と比較して、その比較結果に応じた処理を行うようにしてもよい。例えば、予め定めた時間における各空調室内ユニット２２〜２６、３２〜３６の合計の稼働時間が短い場合には、外気処理ユニット１が過剰運転状態にあると判断するようにして、上記実施形態と同様の処理を行ってもよい。
【００８０】
（７−３）
上記実施形態では、外気処理ユニット１の外気処理室内ユニット１２が、導入ダクト５を介して屋外空気ＯＡのみを被処理空気として調和し、対象空間ＳＩに供給する空調システム１００を例に挙げて説明した。
【００８１】
しかし、本発明を適用可能なシステム構成としては、これに限られず、例えば、外気処理ユニットの導入ダクト５を流れる空気と排出ダクト７を流れる空気との間での混ざり合いを避けつつ熱交換のみを行わせる全熱交換器をさらに備えたものであってもよい。
【００８２】
また、供給ダクト６の内部にファンを設けることで、複数の供給口６ａの間で対象空間ＳＩに対して供給する量を違えることが可能な構成を採用してもよい。
【００８３】
（７−４）
上記実施形態では、吸込温度センサ２２ｄ〜２６ｄ、３２ｄ〜３６ｄを用いた空調システム１００を例に挙げて説明した。
【００８４】
しかし、本発明はこれに限られるものではなく、例えば、コントローラ２０ｄ、３０ｄが設置される場所の温度を検知し、これによって把握される温度を対象空間ＳＩの温度と見なして上記実施形態と同様の制御を行うようにしてもよい。
【００８５】
（７−５）
上記実施形態では、空調室内ユニット２２〜２６、３２〜３６の１台ずつについて設定温度が定められている場合を例に挙げて説明した。
【００８６】
しかし、本発明はこれに限られるものではなく、例えば、複数台の空調室内ユニットを１つの空調グループとして、空調グループ毎に設定温度を定めることができるシステムであってもよい。
【００８７】
（７−６）
上記実施形態では、外気処理ユニット１および空調ユニット２、３は、温度調節を行う装置である場合を例に挙げて説明した。
【００８８】
しかし、本発明はこれに限られるものではなく、例えば、外気処理ユニット１および／または空調ユニット２、３について、さらに除湿機能等が設けられた空調システムであってもよい。
【産業上の利用可能性】
【００８９】
本発明の空調システムは、例えば、外気処理ユニットによって外気を調和して室内に供給しつつ、空調ユニットによって室内の空気をさらに調和する空調システムにおいて特に有用である。
【符号の説明】
【００９０】
１  外気処理ユニット
２  空調処理ユニット
３  空調処理ユニット
１０  外気処理冷凍サイクル
１０ｃ  外気処理制御部（制御部）
１１  外気処理室外ユニット
１２  外気処理室内ユニット
２０、３０  冷凍サイクル
２０ｃ、３０ｃ  空調制御部
２１、３１  空調室外ユニット
２２〜２６、３２〜３６  空調室内ユニット
７０  集中コントローラ（制御部）
１００  空気調和システム
ＳＩ  対象空間
ＳＯ  屋外空間
【先行技術文献】
【特許文献】
【００９１】
【特許文献１】特開２０１０−１２１９１２号公報
【図１】
0005772157.tif 000002
【図２】
0005772157.tif 000003
【図３】
0005772157.tif 000004
【図４】
0005772157.tif 000005